(57)【要約】      （修正有）【課題】移動可能な工場除塵清浄装置を提供する。【解決手段】固定底座１の底部に走行ローラ２が回転可能に接続され、固定底座１の頂端に液圧伸縮ロッド３が固定接続され、液圧伸縮ロッド３の頂端に固定フレーム４が固定接続され、固定フレーム４の頂端に支持フレーム５が固定接続され、支持フレーム５の頂端に調節フレーム６が回転可能に接続されており、調節フレーム６の内部に回転軸が固定接続され、回転軸の一端に回転盤が固定接続され、回転盤の内部に固定バネが固定接続され、固定バネの一端に調節係合子が固定接続され、調節係合子の一端に止めロッドが固定接続され、調節フレーム６の中部に除塵ホルダ１２が固定接続され、除塵ホルダ１２の一端に除塵カバー１３が固定接続され、除塵ホルダ１２の他端に除塵管路１４が固定接続され、除塵管路１４の一端に清浄箱１５が固定接続され、清浄箱１５の底部と固定底座１とが固定接続されている。【選択図】図１
0003229678.tif 000002
【実用新案登録請求の範囲】
【請求項１】
固定底座１を含む移動可能な工場除塵清浄装置であって、前記固定底座１の底部に走行ロ
ーラ２が回転可能に接続され、前記固定底座１の頂端に液圧伸縮ロッド３が固定接続され
、前記液圧伸縮ロッド３の頂端に固定フレーム４が固定接続され、前記固定フレーム４の
頂端に支持フレーム５が固定接続され、前記支持フレーム５の頂端に調節フレーム６が回
転可能に接続されており、
前記調節フレーム６の内部に回転軸７が固定接続され、前記回転軸７の一端に回転盤８が
固定接続され、前記回転盤８の内部に固定バネ９が固定接続され、前記固定バネ９の一端
に調節係合子１０が固定接続され、前記調節係合子１０の一端に止めロッド１１が固定接
続され、前記調節フレーム６の中部に除塵ホルダ１２が固定接続され、前記除塵ホルダ１
２の一端に除塵カバー１３が固定接続され、前記除塵ホルダ１２の他端に除塵管路１４が
固定接続され、前記除塵管路１４の一端に清浄箱１５が固定接続され、前記清浄箱１５の
底部と固定底座１とが固定接続されている、ことを特徴とする移動可能な工場除塵清浄装
置。
【請求項２】
前記固定底座１の底部に走行ローラ２に係合する溝口が開設され、前記固定底座１の頂部
の一端に液圧伸縮ロッド３に係合する固定溝が開設され、前記固定底座１の頂部の他端に
清浄箱１５に係合する凹溝が開設されていることを特徴とする請求項１に記載の移動可能
な工場除塵清浄装置。
【請求項３】
前記固定フレーム４の底部に液圧伸縮ロッド３に係合する固定溝が開設され、前記固定フ
レーム４の頂端に支持フレーム５に係合する凹溝が開設されていることを特徴とする請求
項１に記載の移動可能な工場除塵清浄装置。
【請求項４】
前記支持フレーム５の頂端に調節フレーム６に係合する溝口が開設され、前記支持フレー
ム５の一端に調節係合子１０に係合する係合溝が開設されていることを特徴とする請求項
１に記載の移動可能な工場除塵清浄装置。
【請求項５】
前記調節フレーム６の一端に回転軸７に係合する固定溝が開設され、前記調節フレーム６
の中部に除塵ホルダ１２に係合する溝口が開設されていることを特徴とする請求項１に記
載の移動可能な工場除塵清浄装置。
【請求項６】
前記回転盤８の一端に回転軸７に係合する固定溝が開設され、前記回転盤８の他端に止め
ロッド１１に係合する止め孔が開設され、前記回転盤８の中部に固定バネ９に係合する溝
口が開設されていることを特徴とする請求項１に記載の移動可能な工場除塵清浄装置。
【請求項７】
前記調節係合子１０の一端に止めロッド１１に係合する固定溝が開設され、前記調節係合
子１０の他端にボスが設置されていることを特徴とする請求項１に記載の移動可能な工場
除塵清浄装置。
【請求項８】
前記除塵ホルダ１２の一端に除塵カバー１３に係合する固定溝が開設され、前記除塵ホル
ダ１２の他端に除塵管路１４に係合する溝口が開設され、前記清浄箱１５の頂端に除塵管
路１４に係合する進気孔が開設されていることを特徴とする請求項１に記載の移動可能な
工場除塵清浄装置。
【考案の詳細な説明】
【技術分野】
【０００１】
本実用新案は、除塵清浄の技術分野に関するもので、特に、移動可能な工場除塵清浄装置
に関する。
【従来の技術】
【０００２】
機械加工、バイオ製薬、化学工業など分野の生産現場では、生産製造のプロセスにおいて
大量の排気ガスと粉塵が発生する。この排気と粉塵を適時処分しなかったら、工場の加工
環境を汚染するだけでなく、人体に大きな危害をもたらす。その中で、溶接や、金属材の
切断などは、大量の粉塵と排気ガスを発生するが、集中的に抽出できなく、肺に吸い込ま
れ、健康状態をひどく悪化させるおそれがある。したがって、今現在では、工場の作業者
の健康を保証するために、ほとんどの工場では除塵装置を備えている。しかし、従来の除
塵清浄装置はいくつかの欠陥を有する。
【０００３】
従来の除塵清浄装置は一般的に構造も確定的で、作動位置も確定的で、変型できないもの
で、各類工場の各デバイス類に除塵清浄を適用すれば、いずれの場合も最適効果をもたら
すことが困難であるとわかっている。それによって資源の浪費が容易に発生するだけでな
く、その使用面も非常に不便である。
【考案の概要】
【０００４】
上記の問題を解決するために、本実用新案は、以下の移動可能な工場除塵清浄装置を提
供する。
固定底座１を含む移動可能な工場除塵清浄装置であって、前記固定底座１の底部に走行
ローラ２が回転可能に接続され、前記固定底座１の頂端に液圧伸縮ロッド３が固定接続さ
れ、前記液圧伸縮ロッド３の頂端に固定フレーム４が固定接続され、前記固定フレーム４
の頂端に支持フレーム５が固定接続され、前記支持フレーム５の頂端に調節フレーム６が
回転可能に接続されており、前記調節フレーム６の内部に回転軸７が固定接続され、前記
回転軸７の一端に回転盤８が固定接続され、前記回転盤８の内部に固定バネ９が固定接続
され、前記固定バネ９の一端に調節係合子１０が固定接続され、前記調節係合子１０の一
端に止めロッド１１が固定接続され、前記調節フレーム６の中部に除塵ホルダ１２が固定
接続され、前記除塵ホルダ１２の一端に除塵カバー１３が固定接続され、前記除塵ホルダ
１２の他端に除塵管路１４が固定接続され、前記除塵管路１４の一端に清浄箱１５が固定
接続され、前記清浄箱１５の底部と固定底座１とが固定接続されている、移動可能な工場
除塵清浄装置である。
好ましくは、前記固定底座１の底部に走行ローラ２に係合する溝口が開設され、前記固
定底座１の頂部の一端に液圧伸縮ロッド３に係合する固定溝が開設され、前記固定底座１
の頂部の他端に清浄箱１５に係合する凹溝が開設されている。
好ましくは、前記固定フレーム４の底部に液圧伸縮ロッド３に係合する固定溝が開設さ
れ、前記固定フレーム４の頂端に支持フレーム５に係合する凹溝が開設されている。
好ましくは、前記支持フレーム５の頂端に調節フレーム６に係合する溝口が開設され、
前記支持フレーム５の一端に調節係合子１０に係合する係合溝が開設されている。
好ましくは、前記調節フレーム６の一端に回転軸７に係合する固定溝が開設され、前記
調節フレーム６の中部に除塵ホルダ１２に係合する溝口が開設されている。
好ましくは、前記回転盤８の一端に回転軸７に係合する固定溝が開設され、前記回転盤
８の他端に止めロッド１１に係合する止め孔が開設され、前記回転盤８の中部に固定バネ
９に係合する溝口が開設されている。
好ましくは、前記調節係合子１０の一端に止めロッド１１に係合する固定溝が開設され
、前記調節係合子１０の他端にボスが設置されている。
好ましくは、前記除塵ホルダ１２の一端に除塵カバー１３に係合する固定溝が開設され
、前記除塵ホルダ１２の他端に除塵管路１４に係合する溝口が開設され、前記清浄箱１５
の頂端に除塵管路１４に係合する進気孔が開設されている。
【０００５】
本実用新案は、以下の利点を有する。
（１）該移動可能な工場除塵清浄装置は、液圧伸縮ロッドを制御して、液圧伸縮ロッドに
連動して固定フレームを上下移動させる。固定フレームによって支持フレームに連動して
調節フレームを上下移動させる。調節フレームによって除塵ホルダに連動して除塵カバー
を上下移動させる。これによって、除塵清浄装置の作動レベルを調節することができる。
調節係合子を引き動かして、調節係合子によって固定バネを引き伸ばすことで、調節係合
子を支持フレームの一端の係合溝から押出して、調節係合子と支持フレーム間の係止を解
放する。調節係合子を回転させて、調節係合子によって止めロッドに連動して回転盤を回
転させて、回転盤によって回転軸に連動して調節フレームを回転させて、調節フレームに
よって除塵ホルダに連動して除塵カバーを回転させることによって、除塵清浄装置の作動
方向を調節することができるので、除塵清浄装置の作動位置を確実的に調節することがで
きる。これによって、除塵清浄装置は、最適効果を達成でき、省エネルギーで、使用も便
利である。
【図面の簡単な説明】
【０００６】
【図１】本実用新案の構成模式図。
【図２】本実用新案の固定フレームの構成模式図。
【図３】本実用新案の支持フレームの構成模式図。
【図４】本実用新案の支持フレームの断面構成模式図。
【考案を実施するための形態】
【０００７】
以下、図面とともに、本実施形態を説明する。
図１〜図４に示されるように、本移動可能な工場除塵清浄装置は、固定底座１を含む移動
可能な工場除塵清浄装置であって、固定底座１の底部に走行ローラ２が回転可能に接続さ
れ、固定底座１の頂端に液圧伸縮ロッド３が固定接続され、液圧伸縮ロッド３の頂端に固
定フレーム４が固定接続され、固定フレーム４の頂端に支持フレーム５が固定接続され、
支持フレーム５の頂端に調節フレーム６が回転可能に接続されており、調節フレーム６の
内部に回転軸７が固定接続され、回転軸７の一端に回転盤８が固定接続され、回転盤８の
内部に固定バネ９が固定接続され、固定バネ９の一端に調節係合子１０が固定接続され、
調節係合子１０の一端に止めロッド１１が固定接続され、調節フレーム６の中部に除塵ホ
ルダ１２が固定接続され、除塵ホルダ１２の一端に除塵カバー１３が固定接続され、除塵
ホルダ１２の他端に除塵管路１４が固定接続され、除塵管路１４の一端に清浄箱１５が固
定接続され、清浄箱１５の底部と固定底座１とが固定接続されており、固定底座１の底部
に走行ローラ２に係合する溝口が開設され、固定底座１の頂部の一端に液圧伸縮ロッド３
に係合する固定溝が開設され、固定底座１の頂部の他端に清浄箱１５に係合する凹溝が開
設されており、固定フレーム４の底部に液圧伸縮ロッド３に係合する固定溝が開設され、
固定フレーム４の頂端に支持フレーム５に係合する凹溝が開設されており、支持フレーム
５の頂端に調節フレーム６に係合する溝口が開設され、支持フレーム５の一端に調節係合
子１０に係合する係合溝が開設されており、調節フレーム６の一端に回転軸７に係合する
固定溝が開設され、調節フレーム６の中部に除塵ホルダ１２に係合する溝口が開設されて
おり、回転盤８の一端に回転軸７に係合する固定溝が開設され、回転盤８の他端に止めロ
ッド１１に係合する止め孔が開設され、回転盤８の中部に固定バネ９に係合する溝口が開
設されており、調節係合子１０の一端に止めロッド１１に係合する固定溝が開設され、調
節係合子１０の他端にボスが設置されており、除塵ホルダ１２の一端に除塵カバー１３に
係合する固定溝が開設され、除塵ホルダ１２の他端に除塵管路１４に係合する溝口が開設
され、清浄箱１５の頂端に除塵管路１４に係合する進気孔が開設されていることを特徴と
する請求項１に記載の移動可能な工場除塵清浄装置。
＜本実用新案の動作原理＞
【０００８】
該移動可能な工場除塵清浄装置は、使用際に、液圧伸縮ロッド３を使用者が制御して、液
圧伸縮ロッド３に連動して固定フレーム４を上下移動させる。固定フレーム４によって支
持フレーム５に連動して調節フレーム６を上下移動させる。調節フレーム６によって除塵
ホルダ１２に連動して除塵カバー１３を上下移動させる。これによって、除塵清浄装置の
作動レベルを調節することができる。調節係合子１０を引き動かして、調節係合子１０に
よって固定バネ９を引き伸ばすことで、調節係合子１０を支持フレーム５の一端の係合溝
から押出して、調節係合子１０と支持フレーム５間の係止を解放する。調節係合子１０を
回転させて、調節係合子１０によって止めロッド１１に連動して回転盤８を回転させて、
回転盤８によって回転軸７に連動して調節フレーム６を回転させて、調節フレーム６によ
って除塵ホルダ１２に連動して除塵カバー１３を回転させることによって、除塵清浄装置
の作動方向を調節することができるので、除塵清浄装置の作動位置を確実的に調節するこ
とができる。これによって、除塵清浄装置は、最適効果を達成でき、省エネルギーで、使
用も便利である。
【０００９】
述べたものは、本考案の実施形態だけであり、前記の具体のな実施形態は、普通技術者は
本考案の原理と精神の範疇内において、各種の変形及び修正、置換、変形を行うことがで
きる。本実用新案の保護範囲は、実用新案登録請求の範囲及びその均等物である。
【符号の説明】
【００１０】
１  固定底座
２  走行ローラ
３  液圧伸縮ロッド
４  固定フレーム
５  支持フレーム
６  調節フレーム
７  回転軸
８  回転盤
９  固定バネ
１０  調節係合子
１１  止めロッド
１２  除塵ホルダ
１３  除塵カバー
１４  除塵管路
１５  清浄箱
【図１】
0003229678.tif 000003
【図２】
0003229678.tif 000004
【図３】
0003229678.tif 000005
【図４】
0003229678.tif 000006